(57)【要約】    【課題】パネル装着部に装着された表示パネルがその機種に適合したものであるか否かを自動的に確認できるようにする。    【解決手段】遊技機本体１のパネル装着部４０に対象機種の表示パネル４１を着脱自在に備え、表示パネル４１に、この表示パネル４１の対象機種を示す機種情報を記録する機種情報記録部５１を設け、遊技機本体１に、パネル装着部４０に装着された表示パネル４１の機種情報記録部５１の機種情報を読み取る読み取り手段５５を備え、読み取り手段５５で読み取った機種情報を予め保有する機種情報と照合してパネル装着部４０に装着された表示パネル４１の適否を判定する判定手段６４と、パネル装着部４０に装着された表示パネル４１が対象機種用でないときにそれを報知する画像表示手段１９とを備える。【選択図】図１
2013017776.tif 000002
【特許請求の範囲】
【請求項１】
遊技機本体のパネル装着部に対象機種の表示パネルを装着するようにした遊技機において、前記遊技機本体に、前記パネル装着部に装着された前記表示パネルの機種情報を読み取る読み取り手段を備え、該読み取り手段で読み取った機種情報を予め保有する機種情報と照合して前記パネル装着部に装着された前記表示パネルの適否を判定する判定手段と、前記パネル装着部に装着された前記表示パネルが対象機種用でないときにそれを報知する報知手段とを備えたことを特徴とする遊技機。
【請求項２】
前記表示パネルは、該表示パネルの対象機種を示す機種情報を記録する機種情報記録部を有し、前記読み取り手段は前記機種情報記録部に記録された機種情報を読み取ることを特徴とする請求項１に記載の遊技機。
【請求項３】
前記判定手段は電源の投入時に判定することを特徴とする請求項１又は２に記載の遊技機。
【請求項４】
前記表示パネルとは別の交換体を前記遊技機本体に着脱自在に備え、該交換体は前記機種情報を保有し、前記判定手段は前記交換体を前記遊技機本体に装着したときに該交換体が保有する機種情報と前記読み取り手段で読み取った機種情報とを照合することを特徴とする請求項１〜３の何れかに記載の遊技機。
【請求項５】
前記交換体は遊技球の入賞手段、画像表示手段を有する遊技盤であり、該遊技盤は遊技動作を制御する主制御基板と、該主制御基板により遊技動作の制御に同期して演出手段を制御する演出制御基板と、該演出制御基板からの信号により前記画像表示手段の表示画像を制御する画像制御基板とを備え、前記演出制御基板又は前記画像制御基板に前記判定手段を備えたことを特徴とする請求項４に記載の遊技機。
【請求項６】
前記報知手段は前記画像表示手段であることを特徴とする請求項５に記載の遊技機。
【請求項７】
前記パネル装着部は前記表示パネルを挿入するパネル挿入部を有し、前記表示パネルは前記パネル挿入部への挿入部位に前記機種情報記録部を備え、前記パネル挿入部は前記読み取り手段を備えたことを特徴とする請求項２に記載の遊技機。
【請求項８】
前記機種情報記録部は前記表示パネルの前記読み取り手段に対応する記録部位の突出部又は切除部の有無により前記機種情報を記録することを特徴とする請求項２又は７に記載の遊技機。
【請求項９】
前記遊技機本体は遊技部を透視可能な透明板を有する透視窓を前面に備え、該透視窓の外側近傍の前面、該透視窓の透明板の前面、又は該透視窓の透明板の裏面に前記表示パネルを配置したことを特徴とする請求項１〜８の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機、スロットマシン等の遊技機には、遊技機本体の前面に広告パネル、絵柄パネル等の各種の表示パネルが装着されている。例えばパチンコ機には、遊技盤の前面に配置されたガラス扉の二枚のガラス板間に、透明なシート材に所定の広告内容が印刷された広告パネルを着脱自在に挿入するようにしたものがある（特許文献１）。
【０００３】
またスロットマシンには、前面パネルの操作パネル部の下側に透明な絵柄収納ケースを着脱自在に備え、この絵柄収納ケースに絵柄パネルを挿脱自在に挿入するようにしたものがある（特許文献２）。
【先行技術文献】
【特許文献】
【０００４】
【特許文献１】実開平０５−３３７６７号公報
【特許文献２】特開２００４−３２１５７８号公報
【発明の概要】
【発明が解決しようとする課題】
【０００５】
遊技ホールでは、例えばパチンコ機のガラス扉の前面側の隅部に表示パネルを挿入して、その表示パネルにより１入賞当たりの賞球数、その他の遊技内容を表示することが行われている。
【０００６】
このような遊技内容を表示する表示パネルは、そのパチンコ機に固有のものであって、装着すべき対象機種が決まっている。このため例えば外枠、前枠等により構成される遊技機本体は交換せずに、前枠に装着された遊技盤を新しいものと交換する面替えの際には、遊技盤の機種に合わせて表示パネルも新しいものと交換する必要がある。
【０００７】
しかし、従来の遊技機では、特許文献１、２に記載のように表示パネルを容易に交換可能にする工夫はなされているが、表示パネルを遊技機本体の所定位置に装着したときに、その表示パネルが新しい遊技盤に対応したものであるか否かの適否を確認するようにはなっていない。このため遊技盤は新機種用に交換したが、表示パネルを交換し忘れたような場合には、旧機種用の表示パネルがそのまま放置されるような惧れもある。
【０００８】
本発明は、このような従来の問題点に鑑み、パネル装着部に装着された表示パネルがその機種に適合したものであるか否かを自動的に確認できる遊技機を提供することを目的とする。
【課題を解決するための手段】
【０００９】
本発明は、遊技機本体のパネル装着部に対象機種の表示パネルを装着するようにした遊技機において、前記遊技機本体に、前記パネル装着部に装着された前記表示パネルの機種情報を読み取る読み取り手段を備え、該読み取り手段で読み取った機種情報を予め保有する機種情報と照合して前記パネル装着部に装着された前記表示パネルの適否を判定する判定手段と、前記パネル装着部に装着された前記表示パネルが対象機種用でないときにそれを報知する報知手段とを備えたものである。
【００１０】
前記表示パネルは、該表示パネルの対象機種を示す機種情報を記録する機種情報記録部を有し、前記読み取り手段は前記機種情報記録部に記録された機種情報を読み取っても良い。前記判定手段は電源の投入時に判定しても良い。
【００１１】
前記表示パネルとは別の交換体を前記遊技機本体に着脱自在に備え、該交換体は前記機種情報を保有し、前記判定手段は前記交換体を前記遊技機本体に装着したときに該交換体が保有する機種情報と前記読み取り手段で読み取った機種情報とを照合しても良い。
【００１２】
前記交換体は遊技球の入賞手段、画像表示手段を有する遊技盤であり、該遊技盤は遊技動作を制御する主制御基板と、該主制御基板により遊技動作の制御に同期して演出手段を制御する演出制御基板と、該演出制御基板からの信号により前記画像表示手段の表示画像を制御する画像制御基板とを備え、前記演出制御基板又は前記画像制御基板に前記判定手段を備えても良い。
【００１３】
前記報知手段は前記画像表示手段であっても良い。前記パネル装着部は前記表示パネルを挿入するパネル挿入部を有し、前記表示パネルは前記パネル挿入部への挿入部位に前記機種情報記録部を備え、前記パネル挿入部は前記読み取り手段を備えても良い。前記機種情報記録部は前記表示パネルの前記読み取り手段に対応する記録部位の突出部又は切除部の有無により前記機種情報を記録しても良い。
【００１４】
前記遊技機本体は遊技部を透視可能な透明板を有する透視窓を前面に備え、該透視窓の外側近傍の前面、該透視窓の透明板の前面、又は該透視窓の透明板の裏面に前記表示パネルを配置しても良い。
【発明の効果】
【００１５】
本発明によれば、パネル装着部に装着された表示パネルがその機種に適合したものであるか否かを自動的に確認できる利点がある。
【図面の簡単な説明】
【００１６】
【図１】本発明の第１の実施形態を示すパチンコ機の正面図である。
【図２】同パチンコ機の上部側の側面断面図である。
【図３】同パネル装着部の正面断面図である。
【図４】同図１のＸ−Ｘ線断面図である。
【図５】同表示パネルの説明図である。
【図６】同ブロック図である。
【図７】同判定テーブルの説明図である。
【図８】同判定時のフローチャートである。
【図９】同判定時のフローチャートである。
【図１０】同判定時のフローチャートである。
【図１１】本発明の第２の実施形態を示す表示パネルの説明図である。
【図１２】同パネル装着部の正面断面図である。
【図１３】本発明の第３の実施形態を示す表示パネルの説明図である。
【図１４】本発明の第４の実施形態を示す機種Ａ用のフローチャートである。
【図１５】同機種Ｂ用のフローチャートである。
【図１６】同機種Ｃ用のフローチャートである。
【図１７】本発明の第５の実施形態を示すパチンコ機の正面図である。
【発明を実施するための形態】
【００１７】
以下、本発明の各実施形態を図面に基づいて詳述する。図１〜図１０は本発明をパチンコ機に採用した第１の実施形態を例示する。図１において、１は遊技機本体であり、矩形状の外枠２と、この外枠２の前側にヒンジ３により縦軸廻りに開閉自在に枢着された前枠４とを備えている。前枠４の前側にはガラス扉（装飾扉）５と前面板６とが上下に配置され、前枠４に対してヒンジ３と同じ側のヒンジ７により縦軸廻りに開閉自在に枢支されている。
【００１８】
前面板６の前側には、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１２、下部皿カバー１３により覆われている。上部皿カバー１２の前中央部には、前斜め上向きに操作ボタン兼用の回転演出手段１４が配置されている。前枠４は図２に示すように、ガラス扉５の裏側に対応して遊技盤装着枠１５を有し、この遊技盤装着枠１５に前側又は後側から遊技盤１６が着脱自在に装着されている。
【００１９】
遊技盤１６の前面には、図１に示すように、発射手段から発射された遊技球を案内するガイドレール１７が略円弧状に配置されると共に、そのガイドレール１７の内側の遊技領域１８に画像表示手段１９、普通図柄始動手段２１、特別図柄始動手段２２、可変入賞手段２３、普通入賞手段２４、普通図柄表示手段２５、特別図柄表示手段２６等の各種の遊技部品が配置されている。なお、遊技盤１６と遊技領域１８の画像表示手段１９等の遊技部品により遊技部が構成されている。
【００２０】
画像表示手段１９は遊技領域１８の左右方向の略中央の上部に配置されている。特別図柄始動手段２２と可変入賞手段２３は画像表示手段１９の下側に上下に配置されている。普通入賞手段２４は左右に隣り合って配置され、可変入賞手段２３の左右両側に設けられている。特別図柄始動手段２２は非開閉式入賞口２２ａと開閉式入賞口２２ｂとを有する。普通図柄始動手段２１は画像表示手段１９とガイドレール１７との間に配置されている。画像表示手段１９は液晶式等の画像表示部２８と、画像表示部２８の外周で遊技盤１６の前面に装着された前飾り枠２９とを備え、その前飾り枠２９に普通図柄表示手段２５、特別図柄表示手段２６が装着されている。
【００２１】
普通図柄表示手段２５は普通図柄を変動表示するためのもので、２個（複数個）の発光素子により構成されており、普通図柄始動手段２１が遊技球を検出することを条件に、主制御基板６１（図６参照）の制御により、２個の発光素子が交互に所定時間点滅して、普通図柄始動手段２１の遊技球の検出時に抽選した乱数値が予め定められた当たり判定値と一致した場合に当たり態様側の発光素子が点灯し、それ以外の場合に外れ態様側の発光素子が点灯して停止する。なお、変動後の普通図柄は１／１０程度の所定の確率で当たり態様となる。
【００２２】
特別図柄表示手段２６は発光部位の変化等で特別図柄を変動表示可能なセグメント式等により構成されており、特別図柄始動手段２２が遊技球を検出することを条件に、主制御基板６１の制御により、特別図柄が所定時間変動して、特別図柄始動手段２２の遊技球の検出時に抽選された乱数値が予め定められた大当たり判定値と一致した場合に所定の大当たり態様で、それ以外の場合に外れ態様で停止するようになっている。
【００２３】
特別図柄始動手段２２の開閉式入賞口２２ｂは、普通図柄表示手段２５の変動後の停止図柄が当たり態様となったときに、主制御基板６１の制御により所定時間（短時間）だけ開放するようになっている。可変入賞手段２３は開閉板２３ａを有し、特別図柄表示手段２６の変動後の特別図柄が大当たり態様となって特別遊技状態が発生したときに、主制御基板６１の制御により開閉板２３ａが前側に開放して、上方から落下する遊技球を入賞させるようになっている。特別遊技状態中は開閉板２３ａの開放から所定時間（例えば３０秒程度）が経過するか、その間に所定数（例えば１０個）の遊技球が入賞したときに開閉板２３ａを閉じる動作を１ラウンドとし、この動作を所定回数（例えば１６ラウンド）継続するようになっている。
【００２４】
画像表示部２８は特別図柄表示手段２６の特別図柄に対応する演出図柄３５ａ〜３５ｃの変動表示、回転演出手段１４の操作指示画像３６を表示する操作指示等、画像制御基板６３（図６参照）の制御により、遊技の進行に従って適宜タイミングで各種の演出画像を随時表示するものである。即ち、特別図柄表示手段２６の特別図柄の変動に際しては、その特別図柄の変動に同期して、画像制御基板６３の制御により、例えば３個の演出図柄３５ａ〜３５ｃが画像表示部２８に変動表示される。このとき演出図柄３５ａ〜３５ｃは特別図柄始動手段２２の遊技球の検出を条件に、抽選により決定された所定の演出図柄変動パターンを経て所定時間変動した後、特別図柄の変動終了に同期して所定の順序（例えば左、右、中等の順序）で順次停止する。
【００２５】
演出図柄３５ａ〜３５ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００２６】
回転演出手段１４の操作指示に際しては、演出制御基板６２（図６参照）において、変動後の特別図柄が大当たり態様となる信頼度の高い演出図柄変動パターンを抽選したとき等、遊技者に対して期待感を抱かせる所定の遊技状態、例えば１個の演出図柄３５ｂを除く２個の演出図柄３５ａ，３５ｃが同じとなるリーチとなった場合に、画像制御基板６３の制御により、画像表示部２８の所定箇所に回転演出手段１４の操作を指示する操作指示画像３６が表示される。
【００２７】
そして、例えば特別図柄始動手段２２が遊技球を検出したときに大当たりを抽選しており、変動後の特別図柄が大当たり態様となった後に特別遊技状態が発生する場合には、その操作指示画像３６に従って図柄変動中に適宜タイミングで回転演出手段１４の発光カバー３４を押圧操作すれば、演出制御基板６２の制御により、発光カバー３４内の発光部が回転しながら明滅発光する回転発光状態となって、その後の大当たり態様での特別図柄の停止、及びこれに続く特別遊技状態の発生を予告する。
【００２８】
ガラス扉５は、図２に示すように、遊技盤１６の遊技領域１８に対応する透視窓３７を有するガラス扉枠（装飾扉枠）３８と、このガラス扉枠３８の裏側に着脱自在に装着され且つ透視窓３７を塞ぐガラス板ユニット（透明板ユニット）３９とを備え、そのガラス板ユニット３９の前側でガラス扉枠３８の前隅部のパネル装着部４０に表示パネル４１が着脱自在に装着されている。透視窓３７はガラス板ユニット３９を介して遊技盤１６の遊技領域１８を前から透視可能である。パネル装着部４０は透視窓３７の外側近傍に配置されている。
【００２９】
ガラス扉枠３８は透視窓３７を取り囲む枠板４２と、この枠板４２の裏側に装着された金属製の補強板４３と、枠板４２の前側に装着された化粧カバー４４とを有する。ガラス板ユニット３９は前後２枚のガラス板（透明板）４６と、このガラス板４６を外周側で保持する保持部材４７とを備えている。
【００３０】
表示パネル４１は遊技盤１６の機種に対応するものであって、例えば普通入賞手段２４、可変入賞手段２３の１入賞当たりの賞球数等、遊技盤１６の遊技内容に関する所定の表示が付されており、図３、図４に示すように、ガラス扉枠３８のパネル装着部４０、即ちガラス扉枠３８の縦枠部３８ａと下枠部３８ｂとのパネル挿入部５０ａ，５０ｂに表示パネル４１の二辺の挿入域４１ａ，４１ｂが挿脱自在に挿入されている。
【００３１】
表示パネル４１は下側の一辺の挿入域４１ｂ側に、この表示パネル４１の対象機種を示す機種情報を記録する機種情報記録部５１が設けられている。機種情報記録部５１は一辺に沿って所定間隔を置いて配置された複数個の記録部位５２ａ〜５２ｃを有し、その記録部位５２ａ〜５２ｃの突出部５３ａ〜５３ｃの有無によって、複数種類の表示パネル４１毎にその機種情報が記録されている。
【００３２】
例えば機種Ａ〜Ｃの三種類の遊技盤１６がある場合には、その遊技盤１６の機種Ａ〜Ｃに対応して三種類の表示パネル４１があり、その機種Ａ用の表示パネル４１は図５（ａ）に示すように記録部位５２ａに突出部５３ａを、機種Ｂ用の表示パネル４１は図５（ｂ）に示すように記録部位５２ｂに突出部５３ｂを、機種Ｃ用の表示パネル４１は図５（ｃ）に示すように記録部位５２ｃに突出部５３ｃを夫々設け、他の各記録部位５２ａ〜５２ｃは全て突出部５３ａ〜５３ｃが切除されている。
【００３３】
この実施形態では３箇所の記録部位５２ａ〜５２ｃの内、その突出部５３ａ〜５３ｃがある位置の違いによって三種類の表示パネル４１の対象となる機種Ａ〜Ｃを特定するようになっているが、記録部位５２ａ〜５２ｃの複数箇所に突出部５３ａ〜５３ｃを設けて、表示パネル４１の各機種Ａ〜Ｃを特定しても良い。
【００３４】
パネル挿入部５０ａ，５０ｂはガラス扉枠３８の縦枠部３８ａと下枠部３８ｂとに設けられており、その下枠部３８ｂ側のパネル挿入部５０ｂには、図３、図４に示すように、表示パネル４１の機種情報記録部５１に記録された機種情報を読み取る読み取り手段５５が設けられている。下枠部３８ｂ側のパネル挿入部５０ｂは、上側から挿入された表示パネル４１の下側の挿入域４１ｂを保持する形状であって、表示パネル４１の各記録部位５２ａ〜５２ｃに対応して切り欠き部５６ａ〜５６ｃが設けられ、その記録部位５２ａ〜５２ｃに突出部５３ａ〜５３ｃがあれば、その突出部５３ａ〜５３ｃが切り欠き部５６ａ〜５６ｃから下方に突出するようになっている。
【００３５】
読み取り手段５５は各切り欠き部５６ａ〜５６ｃに対応して所定間隔をおいて配置された複数個のセンサ５７ａ〜５７ｃを有する。各センサ５７ａ〜５７ｃは取り付け板５８に装着された送信子５９と受信子６０とを備え、送信子５９と受信子６０との間が突出部５３ａ〜５３ｃによって遮断されるか否かにより機種情報を読み取るようになっている。
【００３６】
例えば、パネル挿入部５０ｂに機種Ａ用の表示パネル４１が挿入された場合には、そのセンサ５７ａの送信子５９と受信子６０との間に突出部５３ａが挿入されるので、センサ５７ａの出力がオンとなる。同様に機種Ｂ用の表示パネル４１のときにはセンサ５７ｂの出力が、機種Ｃ用の表示パネル４１のときにはセンサ５７ｃの出力が夫々オンとなる。なお、光学式の場合には送信子５９が発光部となり、受信子６０が受光部となる。また送信子５９、受信子６０は超音波でも良いし、透過式、反射式でも良い。その他の接触式又は非接触式のものでも良い。
【００３７】
遊技盤１６の裏側には、図６に示すように、遊技盤１６の遊技動作を制御する主制御基板６１と、主制御基板６１による遊技動作の制御に同期して予告演出の有無を決定し必要に応じて遊技盤１６のＬＥＤ、回転演出手段１４等の演出手段を制御する演出制御基板６２と、演出制御基板６２から又は演出制御基板６２を経由して送られる信号により、画像表示手段１９の演出図柄３５ａ〜３５ｃ、操作指示画像３６等の表示画像を制御する画像制御基板６３とが設けられている。
【００３８】
主制御基板６１は例えば普通図柄始動手段２１が遊技球を検出したときの普通図柄表示手段２５の普通図柄の変動制御、普通図柄の変動終了後の遊技状態に関する制御、特別図柄始動手段２２が遊技球を検出したときの特別図柄表示手段２６の特別図柄の変動制御、特別図柄の変動終了後の特別遊技状態に関する制御、可変入賞手段２３、普通入賞手段２４への遊技球の入賞に関する制御等の遊技動作に関する制御を行うようになっている。
【００３９】
演出制御基板６２は例えば主制御基板６１の制御において、特別図柄の変動終了後に大当たり態様となるか、又は大当たり態様となる信頼度の高いパターンが抽選されたときに予告演出を行うか否かを決定する制御、その決定に基づいて画像表示手段１９以外の遊技盤１６側のＬＥＤ、回転演出手段１４による演出制御等を行うようになっている。画像制御基板６３は画像表示手段１９に表示される演出画像、操作指示画像３６等を制御するようになっている。
【００４０】
演出制御基板６２には、電源投入後で遊技可能になる前に行われる自己診断の際に、読み取り手段５５で読み取った機種情報を予め保有する機種情報と照合してパネル装着部４０に装着された表示パネル４１の適否を判定する判定手段６４と、パネル装着部４０に装着された表示パネル４１が対象機種用でないときにその旨の報知指令を出す報知指令手段６５とを備え、報知指令があれば画像制御基板６３の制御により画像表示手段１９の画像表示部２８に「表示パネルが間違っています」等の適宜エラーメッセージ６８（図１参照）が画像表示されるようになっている。
【００４１】
なお、図１では、画像表示部２８に演出図柄３５ａ〜３５ａ、操作指示画像３６及びエラーメッセージ６８を表示しているが、これは単に説明の便宜上に過ぎない。またこの場合には画像表示手段１９により報知手段が構成されるが、スピーカ、ランプ等を報知手段として利用することも可能である。
【００４２】
この実施形態では、機種Ａ〜Ｃ用の各表示パネル４１の突出部５３ａ〜５３ｃの位置の違いにより、各機種Ａ〜Ｃ用の各表示パネル４１をパネル装着部４０に装着したときの読み取り手段５５の各センサ５７ａ〜５７ｃは、図７に示す関係でオン・オフする。従って、パネル装着部４０に装着された表示パネル４１の機種Ａ〜Ｃを判定できるように、機種Ａの遊技盤１６の判定手段６４は判定テーブルＴＡの機種情報を、機種Ｂの遊技盤１６の判定手段６４は判定テーブルＴＢの機種情報を、機種Ｃの遊技盤１６の判定手段６４は判定テーブルＴＣの機種情報を夫々保有しており、読み取り手段５５で読み取った機種情報と照合して、パネル装着部４０に装着された表示パネル４１の適否を判定するようになっている。
【００４３】
この種のパチンコ機では、一般に電源の投入直後に自己診断、初期化等の前処理を行い、その後に遊技可能な状態に移行するが、電源投入後の自己診断の際に、パネル装着部４０に装着された表示パネル４１がその機種用に適合したものか否かの判定を行い、表示パネル４１が対象機種以外のものであれば、画像表示手段１９の画像表示部２８にエラーメッセージ６８を表示して報知する。
【００４４】
例えば機種Ａの遊技盤１６を遊技機本体１に装着した場合には、判定手段６４は判定テーブルＴＡを保有しており、読み取り手段５５で読み取った表示パネル４１の機種情報を判定テーブルＴＡで照合して表示パネル４１の適否を判定する。パネル装着部４０に装着された表示パネル４１が機種Ａ用のものであれば、電源の投入により読み取り手段５５のセンサ５７ａがオンし、センサ５７ｂ，５７ｃがオフするので、判定手段６４が各センサ５７ａ〜５７ｃのオン・オフ信号を順次読み込んで、図８に示すように判定テーブルＴＡに従ってステップＳ１〜Ｓ３を経て判定する。
【００４５】
表示パネル４１が機種Ａ用のものであれば、通常処理を継続し（ステップＳ４）、その後に終了する。仮に表示パネル４１が機種Ｂ又は機種Ｃであれば、センサ５７ａの信号がオンではないので（ステップＳ１）、画像表示手段１９によりエラーメッセージ６８を表示する（ステップＳ５）。従って、画像表示手段１９のエラー表示を見れば、パネル装着部４０に装着された表示パネル４１が機種Ａ用以外のものであり、交換を要することが容易に判る。
【００４６】
同様にして、機種Ｂの遊技盤１６を遊技機本体１に装着した場合には、図９の手順を経てパネル装着部４０に装着された表示パネル４１が機種Ｂであるか否かの判定を行い、また機種Ｃの遊技盤１６を遊技機本体１に装着した場合には、図１０の手順を経てパネル装着部４０に装着された表示パネル４１が機種Ｃであるか否かの判定を行う。
【００４７】
このように遊技盤１６に装着された演出制御基板６２に判定手段６４を設けることにより、遊技盤１６を遊技機本体１に装着したときに、遊技機本体１側の読み取り手段５５と演出制御基板６２とが電気的に接続することにより、表示パネル４１の適否を判定することができる。
【００４８】
また判定手段６４が遊技機本体１側にある場合には、遊技機本体１に装着された遊技盤１６の機種Ａ〜Ｃと、パネル装着部４０に装着された表示パネル４１の種類とを読み取って、両者を照合して現在装着の遊技盤１６に対して表示パネル４１が適正か否かの判定をする必要があり、製作コストが高騰する。しかし、遊技盤１６側に判定手段６４を設けることにより、判定手段６４が保有する機種情報と表示パネル４１の記録情報とを照合すれば良いので、新旧の遊技盤１６を交換する面替えが容易であり、コスト的にも低減できる利点がある。更に判定手段６４を演出制御基板６２側に設けることによって、主制御基板６１側に変更を加える必要がなく、また設計変更等に対して容易に対応することができる。
【００４９】
なお、この実施形態では、図８〜図１０の何れの判定の場合にも、ステップＳ１〜Ｓ３を経て判定するようにしているが、機種Ａ〜Ｃの表示パネル４１はともに記録部位５２ａ〜５２ｃの１箇所に突出部５３ａ〜５３ｃがあるのみであるため、機種Ａ用はステップＳ１により、機種Ｂ用はステップＳ２により、機種Ｃ用はステップＳ３により夫々判定することができる。
【００５０】
図１１、図１２は本発明の第２の実施形態を例示する。この実施形態では、図１１（ａ）〜（ｃ）に示すように、表示パネル４１の記録部位５２ａ〜５２ｃの切除部６７ａ〜６７ｃの位置を変えることにより、機種Ａ〜Ｃの別を記録するようにしている。そして、読み取り手段５５の各センサ５７ａ〜５７ｃは、図１２に示すように、記録部位５２ａ〜５２ｃに対応して設けられており、切除部６７ａ〜６７ｃが対応したときに出力がオンするようになっている。
【００５１】
この場合には、表示パネル４１の挿入域４１ａ，４１ｂの一部に切除部６７ａ〜６７ｃが凹入状にできるため、突出部５３ａ〜５３ｃを設ける場合に比較して表示パネル４１の挿入域４１ｂ側の損傷を少なくすることができる。
【００５２】
図１３は本発明の第３の実施形態を例示する。この実施形態では、表示パネル４１の端縁から内側に入った位置に記録部位５２ａ〜５２ｃが設けられており、その記録部位５２ａ〜５２ｃを切除するか否かによって、表示パネル４１の機種情報が記録されている。
【００５３】
このように機種情報記録部５１を表示パネル４１の端縁から内側に入った位置に設けることも可能である。
【００５４】
図１４〜図１６は本発明の第４の実施形態を例示する。この実施形態では、読み取り手段５５の各センサ５７ａ〜５７ｃの信号を組み合わせて、パネル装着部４０に表示パネル４１があるか否か、及びパネル装着部４０の表示パネル４１が適正か否かを判定手段６４により判定し、画像表示手段１９等の報知手段により、判定手段６４の判定結果を報知するようにしている。他の構成は第１の実施形態と同じである。
【００５５】
図１４は機種Ａ用のフローチャート、図１５は機種Ｂ用のフローチャート、図１６は機種Ｃ用のフローチャートである。例えば機種Ａの遊技盤１６の場合には、図１４に示すようにセンサ５７ａの信号がオンか否かを判定し（ステップＳ１０）、このセンサ５７ａの信号がオンであれば、パネル装着部４０に正規の表示パネル４１が適正に装着されているので、画像表示手段１９に表示パネル４１が適正である旨の適正表示を行い（ステップＳ１１）、その後の通常処理に移行する（ステップＳ１２）。なお、この適正表示は省略しても良い。
【００５６】
センサ５７ａの信号がオフであれば（ステップＳ１０）、次にセンサ５７ｂがオフか否かを判定する（ステップＳ１３）。センサ５７ｂの信号がオフであれば、続いてセンサ５７ｃがオフか否かを判定する（ステップＳ１４）。そして、センサ５７ｃの信号がオフであれば（ステップＳ１４）、画像表示手段１９に未装着エラーを表示して（ステップＳ１５）、パネル装着部４０に表示パネル４１が装着されていない旨の報知を行う。
【００５７】
即ち、パネル装着部４０に表示パネル４１がなければ、センサ５７ａ〜５７ｃの何れもが表示パネル４１の突出部５３ａ〜５３ｃを検出しないので、判定手段６４が表示パネル４１の装着忘れと判定して、画像表示手段１９等の報知手段により未装着を報知する。
【００５８】
センサ５７ｂの信号がオンであれば（ステップＳ１３）、パネル装着部４０の表示パネル４１が機種Ｂ用のものであり、表示パネル４１が相違する旨のエラー表示を行う（ステップＳ１６）。またセンサ５７ｃの信号がオンであれば（ステップＳ１４）、パネル装着部４０の表示パネル４１が機種Ｃ用のものであり、同様に表示パネル４１が相違する旨のエラー表示を行う（ステップＳ１６）。
【００５９】
機種Ｂの遊技盤１６の場合は図１５に示す手順で、機種Ｃの遊技盤１６の場合は図１６に示す手順で夫々の判定を行う。従って、各機種Ａ〜Ｃの遊技盤１６に、その機種Ａ〜Ｃに対応する図１４〜図１６の判定処理を行う判定手段６４を備えておけば良い。
【００６０】
図１７は本発明の第５の実施形態を例示する。この実施形態では、パネル装着部４０に表示パネル４１を検出するパネルセンサ７０が設けられている。このパネルセンサ７０は、読み取り手段５５のセンサ５７ａ〜５７ｃとは別であって、パネル挿入部５０ａ，５０ｂの何れかに設けられている。このようにパネルセンサ７０を設けて、このパネルセンサ７０からの信号により、判定手段６４でパネル装着部４０の表示パネル４１の有無を判定して、パネル装着部４０に表示パネル４１が装着されていないときには、報知手段によりパネル装着部４０に表示パネル４１が未装着である旨を報知してもよい。
【００６１】
以上、本発明の各実施形態について詳述したが、本発明はこの各実施形態に限定されるものではなく、本発明の趣旨を逸脱しない範囲で種々の変更が可能である。実施形態では、遊技機本体１に着脱自在に装着された遊技盤１６を交換体として、その遊技盤１６の機種に対応して装着される遊技内容表示用の表示パネル４１について説明したが、交換体は遊技盤１６以外のものでも良い。例えば、遊技盤１６にリール式の回転表示手段を交換可能に装着し、そのリール式の回転表示手段を交換した際に、その回転表示手段の機種に合わせて表示パネル４１を交換する必要がある場合にも、同様に採用可能である。
【００６２】
また実施形態では遊技盤１６の裏側の演出制御基板６２に判定手段６４、報知指令手段６５を設けているが、遊技盤１６以外の交換体を対象にする場合であって、交換体側に制御基板等がない場合、又は交換体側の制御基板に余裕がないような場合には、その交換体に機種情報を保有させておき、その機種情報を遊技機本体１側の判定手段６４に読み込んで、交換体の機種情報と表示パネル４１の機種情報とを照合して表示パネル４１の適否を判定するようにしても良い。
【００６３】
画像表示手段１９にエラー表示する際のエラーメッセージ６８は文字に限らず、表示パネル４１の交換を要求する絵柄、記号でも良いし、機種コードを示すものでも良い。またエラーメッセージ６８、機種名等を示す視覚的報知のみでも良いし、視覚的報知とスピーカ等による聴覚的報知とを併用しても良いし、視覚的報知に代えて聴覚的報知のみを採用しても良い。聴覚的報知の場合にはスピーカからエラーメッセージ、機種名等の音声を発生させても良い。
【００６４】
表示パネル４１の適否の判定は電源の投入によりなされるので、遊技盤１６を交換する面替えの際、製造工程での組み立て後の出荷前の検査の際に有用であるが、誤装着の他に未装着を判定し報知できるようにしても良い。
【００６５】
また表示パネル４１の適否の判定・報知、表示パネル４１の有無の判定・報知は、電源投入直後の自己診断時が適当であるが、それ以外のときでも良い。例えば、電源の投入後に表示パネル４１を交換又は装着するような場合には、その交換又は装着後に判定しても良い。
【００６６】
画像表示手段１９等の報知手段による報知は、表示パネル４１の交換又は装着により終了するが、表示パネル４１がゲームに直接影響しない表示内容を表示するものの場合には、所定時間の経過又は強制措置により終了するようにしても良い。
【００６７】
また表示パネル４１は、実施形態では透視窓３７の外側近傍の前面に配置しているが、透視窓３７の領域内において、その隅部等の周辺部分でガラス扉５の前面、又はガラス扉５の裏面側に設けても良いし、ガラス扉枠３８の前面に設けても良い。更に表示パネル４１は遊技内容の案内に限らず、遊技機の主題を絵柄で表示するもの、商品広告を表示するもの等でも良い。また透視窓３７は開閉式、固定式の何れでも良い。更にパチンコ機、アレンジボール機等の弾球遊技機は勿論のこと、スロットマシンを含む各種の遊技機においても同様に実施可能である。
【符号の説明】
【００６８】
１  遊技機本体
１４  回転演出手段
１６  遊技盤（交換体）
１９  画像表示手段（報知手段）
２３  可変入賞手段
２４  普通入賞手段
４０  パネル装着部
４１  表示パネル
５１  機種情報記録部
５０ａ，５０ｂ  パネル挿入部
５２ａ〜５２ｃ  記録部位
５３ａ〜５３ｃ  突出部
５５  読み取り手段
６４  判定手段
６１  主制御基板
６２  演出制御基板
６３  画像制御基板
６７ａ〜６７ｃ  切除部
【図１】
2013017776.tif 000003
【図２】
2013017776.tif 000004
【図３】
2013017776.tif 000005
【図４】
2013017776.tif 000006
【図５】
2013017776.tif 000007
【図６】
2013017776.tif 000008
【図７】
2013017776.tif 000009
【図８】
2013017776.tif 000010
【図９】
2013017776.tif 000011
【図１０】
2013017776.tif 000012
【図１１】
2013017776.tif 000013
【図１２】
2013017776.tif 000014
【図１３】
2013017776.tif 000015
【図１４】
2013017776.tif 000016
【図１５】
2013017776.tif 000017
【図１６】
2013017776.tif 000018
【図１７】
2013017776.tif 000019